(57)【要約】【課題】プロテクタとして必要な剛性が確保でき、材料としての合成樹脂の量を減らすことができて、コスト低減を図ることのできるプロテクタを提供すること。【解決手段】プロテクタ１０を複数に区画するとともに、当該プロテクタ１０の厚さと同じ幅の複数の壁リブ１１と、これら各壁リブ１１の外端同士及び内端同士にそれぞれ交互に連続し、当該プロテクタ１０の外面または内面となる外底板１２及び内底板１３と、これら外底板１２及び内底板１３内に突設されて、当該プロテクタ１０の厚さと同じ高さのハニカムリブ１４とを備えたこと。【選択図】図２
2015074481.tif 000002
【特許請求の範囲】
【請求項１】
長尺材を巻芯上に巻いたロール製品について、その少なくとも一端部に露出している巻芯の端部に取り付けられて、ロール製品の少なくとも一端部の保護を行うプロテクタであって、
このプロテクタを複数に区画するとともに、当該プロテクタの厚さと同じ幅の複数の壁リブと、これら各壁リブの外端同士及び内端同士にそれぞれ交互に連続し、当該プロテクタの外面または内面となる外底板及び内底板と、これら外底板及び内底板内に突設されて、当該プロテクタの厚さと同じ高さのハニカムリブとを備えたことを特徴とするプロテクタ。
【請求項２】
前記外底板または内底板の何れか少なくとも一方の１つの外面に、ラベル貼付部または刻印部の何れか少なくとも一方を形成したことを特徴とする請求項１に記載のプロテクタ。
【発明の詳細な説明】
【技術分野】
【０００１】
本発明は、プラスチックフィルム、プラスチックシート、紙等の長尺基礎製品を巻芯にロール状に巻いた製品のためのプロテクタに関するものである。
【背景技術】
【０００２】
プラスチックフィルム、プラスチックシート、紙等の長尺な基礎製品は、巻芯にロール状に巻いて製品化される。また、このロール製品は、これを運搬したり保管したりする際に、例えば図１に示すように、ロールの端部に「プロテクタ」を取り付けることにより、長尺基礎製品の端部が汚れたり破損したりしないように保護するだけでなく、床面上に立てる際の敷板とされたり、あるいは、床面や包装箱の内底面から所定高さ浮かせて、ロール製品表面が直接床面等に触れないようにされることもある。
【０００３】
この種のロール製品用プロテクタとしては、特許文献１にも提案されているように、方形または円形の側板部の中心付近から円筒状支軸が突設されたもの等が挙げられる。この種のロール製品用プロテクタは、ロール製品の両端面を一対のプロテクタの側板部で挟持するとともに、支軸を芯材（巻芯）の中空孔に挿入してロール製品を支持することによりロール製品の側端部を保護するものである。そして、このようなロール製品用プロテクタで保護されたロール製品は、両側板部の外側に梱包用バンドを十字状に掛けて全体を緊締し、さらにダンボール箱等に収納したりシートで包んだりして輸送や保管に供されているのである。
【先行技術文献】
【特許文献】
【０００４】
【特許文献１】特開２０１０−２２８８０５号公報、要約、代表図
【発明の概要】
【発明が解決しようとする課題】
【０００５】
特許文献１には、「衝撃を吸収してプロテクタの破損を防止し、更に、衝撃が加わったことを検知したり、衝撃が加わった時間等を検知することができるロール製品用プロテクタを提供する」ことを目的とした「ロール製品用プロテクタ」が提案されている。
【０００６】
この特許文献１のロール製品用プロテクタは、図６に示すように、「側板部２と該側板部２の中央部から突設した支軸３を有するロール製品用プロテクタ１において、前記側板部２の外周に、衝撃を吸収するための緩衝部４が設けられ、必要に応じ、衝撃を受けた際に破れる容器に封入したインキや衝撃を受けた際に停止される時計等の衝撃表示手段が組み込まれている」もので、上記目的が達成できるものと考えられる。
【０００７】
しかしながら、この特許文献１のロール製品用プロテクタは、図６に示すように、これを補強するための多数のリブが一方の面で露出したままとなっているから、これらのリブ間にホコリが一旦入ってしまうと、その清掃や取り出しが非常に困難であると考えられる。「ホコリ」は、プラスチックフィルムやプラスチックシート等の基礎製品自体に付着し易く、基礎製品自体を傷ものとする可能性があるものであり、これによって汚損されたロール製品用プロテクタは、次のロール製品のためには使用できないことになる。
【０００８】
また、この特許文献１のロール製品用プロテクタは、図６に示すように、これを補強するための多数のリブ全てが一方の面に露出し、他方の面が板状になっているから、これを合成樹脂で成形した場合、他方の面の板にのみ「ヒケ」が発生して、全体に「歪み」ができ易くなる。この「ヒケ」の発生を抑制しようとすれば、必然的に一方の面に形成すべきリブの数を増大させて細かくしなければならないから、当該プロテクタに必要な合成樹脂材料の量が増大するだけでなく、プロテクタ全体のコストアップにも繋がる。
【０００９】
さらに、この特許文献１のロール製品用プロテクタは、その大きさが変更できないものとなっていると考えられるため、ロール製品の大きさが異なれば、それに応じた大きさのものを別途用意する必要があって、再利用がしにくいものとなっていると考えられる。
【００１０】
以上のことを総合すると、この種のプロテクタを合成樹脂を材料として形成しようとする場合、次の点の解決を図らなければならないのである。
（１）平板部分を一方の側に偏らせないで両側に分散させることにより、合成樹脂の「ヒケ」を発生しにくくすること。
（２）リブの数を減らすことによって、材料を減らせるようにすること。
（３）リブの形状を変えることによって、プロテクタに必要な剛性を確保すること。
（４）汎用性の高いプロテクタとすること。
【００１１】
そこで、本発明者等は、上記の（１）〜（４）を如何に解決するか、について種々検討を重ねてきた結果、本発明を完成したのである。
【００１２】
すなわち、本発明が目的とする一番目の点は、プロテクタとして必要な剛性が確保でき、材料としての合成樹脂の量を減らすことができて、コスト低減を図ることのできるプロテクタを提供することにある。
【００１３】
また、本発明が目的とする二番目の点は、上記一番目の点に加えて、当該プロテクタによって保護している長尺材の材料名や行き先、当該プロテクタの所有者名等の各種データが簡単に表示できるプロテクタを提供することにある。
【課題を解決するための手段】
【００１４】
以上の課題を解決するために、まず、請求項１に係る発明の採った手段は、後述する実施形態の説明中で使用する符号を付して説明すると、
「長尺材２１を巻芯２２上に巻いたロール製品２０について、その少なくとも一端部に露出している巻芯２２の端部に取り付けられて、ロール製品２０の少なくとも一端部の保護を行うプロテクタ１０であって、
このプロテクタ１０を複数に区画するとともに、当該プロテクタ１０の厚さと同じ幅の複数の壁リブ１１と、これら各壁リブ１１の外端同士及び内端同士にそれぞれ交互に連続し、当該プロテクタ１０の外面または内面となる外底板１２及び内底板１３と、これら外底板１２及び内底板１３内に突設されて、当該プロテクタ１０の厚さと同じ高さのハニカムリブ１４とを備えたことを特徴とするプロテクタ１０」
である。
【００１５】
このプロテクタ１０は、ロール製品２０の少なくとも一端部の保護を行うものであり、長尺材２１を巻芯２２上に巻いたロール製品２０の少なくとも一端部に露出している巻芯２２の端部に取り付けられて使用されるものであるが、図１に示すように、ロール製品２０の外形程度の大きさのものを２つ用意して、これらをロール製品２０の巻芯２２の両側に取り付けて使用するのが一般的である。なお、巻芯２２は、その上に長尺材２１を巻回する際には、その両端を巻回機のチャックに固定されるものである。
【００１６】
なお、本発明で言う「外」は、便宜上、当該プロテクタ１０をロール製品２０の側面に取り付けたときに「外側」となる方向を言い、「内」はこれとは反対の方向を言う。従って、後述するように、当該プロテクタ１０が表裏対称に形成してある場合には、「外」と言っていたものが別の場面で「内」となることは当然あり得ることになる。
【００１７】
このプロテクタ１０は、図２に示すように、その中心に形成した中心穴１６によって、ロール製品２０を構成している巻芯２２の端部に取り付けられるものである。また、このプロテクタ１０の外形は、種々考えられるが、図示しているような真円形や正方形のように、中心穴１６の中心線に対して線対称のものとすることによって、表裏の区別をなくすことができて好ましい。
【００１８】
このプロテクタ１０は、図２〜図５に示すように、次の各部材を備えることによって、複数に区画されているものである。すなわち、このプロテクタ１０は、複数の壁リブ１１と、これら各壁リブ１１の外端同士及び内端同士にそれぞれ交互に連続する外底板１２及び内底板１３と、これら外底板１２及び内底板１３内に突設されたハニカムリブ１４とを備えたものである。勿論、このプロテクタ１０の中心には、上述した中心穴１６が形成してある。
【００１９】
以下で説明する実施形態に係るプロテクタ１０では、図２に示すように、外形を円形にするとともに、複数の壁リブ１１を放射状で等間隔となるように形成することによって、平面視した場合に、外底板１２または内底板１３が矢車の矢のように交互に現出するものである。換言すれば、矢車の矢のような外底板１２または内底板１３という平面部が交互に現出して、一方の面に平面部が偏ることはないのである。
【００２０】
このため、本発明に係るプロテクタ１０は、これを合成樹脂を材料として形成した場合に、ヒケが生じ易い平面部を複数の外底板１２及び内底板１３に分割していることになり、これにより、外底板１２及び内底板１３という平面部がヒケの発生し難い小さい部分となって、プロテクタ１０全体としてみても、ヒケが発生しにくいものとなっている。
【００２１】
逆に言えば、各外底板１２及び内底板１３は、図６に示す従来技術の「網目」より大きくできているのであり、それぞれの端部に交互に連続して外端同士及び内端同士にて連なっている各壁リブ１１の数も少なくしているのである。これらの各壁リブ１１は、当該プロテクタ１０の厚さと同じ幅のものであり、当該プロテクタ１０の側面から見た厚さを規定し、この厚さを維持するものである。
【００２２】
また、これらの各壁リブ１１は、その外端同士及び内端同士に、当該プロテクタ１０の外面または内面となる外底板１２及び内底板１３のそれぞれを交互に連続させることによって、これらの外底板１２及び内底板１３の、放射線に沿った側面端部の支持を行うものである。
【００２３】
そして、これらの外底板１２及び内底板１３の内側には、図３に示すように、ハニカムリブ１４が一体化される。各ハニカムリブ１４は、図２に示すように、これらを平面視した場合にはハニカム構造の形態を有したものであり、これを側面からみた場合には、図３の（ａ）に示すように、上記壁リブ１１の高さと同じ幅と厚さのものとなっている。これらのハニカムリブ１４は、外底板１２及び内底板１３の内側に一体化したものであるから、当該プロテクタ１０をどちらから見ても、図２に示すように、交互に現れるものである。
【００２４】
各ハニカムリブ１４は、各壁リブ１１等と同じ材料で形成されるものであるが、その性質上、自身の剛性が高いだけでなく、これが一体化される外底板１２または内底板１３の剛性も高めることになる。その結果、最終的に、プロテクタ１０全体としての剛性も、合成樹脂材料の量を減らしながらも、十分確保されているのである。
【００２５】
さらに、このプロテクタ１０は、図１に示すように、ロール製品２０を立てるのに使用した場合、多数のロール製品２０を倉庫のデッドスペースを増大させることなく収納できるものである。このプロテクタ１０がロール製品２０の直径程度の直径を有する円板であれば、四角のそれに対して、各ロール製品２０を近接させることができるからである。
【００２６】
従って、この請求項１に係るプロテクタ１０は、その必要な剛性が確保でき、材料としての合成樹脂の量を減らすことができて、コスト低減が図られているのである。
【００２７】
また、上記課題を解決するために、請求項２に係る発明の採った手段は、上記請求項１に記載のプロテクタ１０について、
「外底板１２または内底板１３の何れか少なくとも一方の１つの外面に、ラベル貼付部１５ａまたは刻印部１５ｂの何れか少なくとも一方を形成したこと」
である。
【００２８】
この請求項２に係るプロテクタ１０は、図４及び図５に示すように、例えば外底板１２の１つの外面にラベル貼付部１５ａを形成し、外底板１２の別の１つの外面に刻印部１５ｂを形成したものである。
【００２９】
これらのラベル貼付部１５ａまたは刻印部１５ｂは、図４に示すように、その各周囲を壁リブ１１によって囲むことによりその位置を明示するようにしたものであり、その裏面については、図５に示すように、これを囲んでいる壁リブ１１によって当該プロテクタ１０に一体化するようにしたものである。
【００３０】
ラベル貼付部１５ａの表面には、種々なデータが表示されたラベルが文字通り貼付されるものであり、ラベルには、例えば、当該プロテクタ１０によって保護している長尺材２０の材料名や行き先等が表示される。勿論、このラベル貼付部１５ａに対しては、ラベルの貼り変えが何度でも行える。
【００３１】
一方、刻印部１５ｂには、当該プロテクタ１０の製造時において、例えば、当該プロテクタ１０の所有者名等の各種データが、文字通り刻印されるのである。近年、この種のプロテクタ１０は、使い捨てされるものではなくて、繰り返し使用されるものになってきているが、この刻印部１５ｂでの表示によって、当該プロテクタ１０は容易に所有者にリターンできることになる。
【００３２】
これらのラベル貼付部１５ａや刻印部１５ｂは、これを設けたとしても、材料を余分に必要とするものでもないし、プロテクタ１０全体の剛性を損なうものでもないから、何等問題を生じるものではない。
【００３３】
従って、この請求項２のプロテクタ１０は、上記請求項１のそれと同様な機能を発揮する他、ラベル貼付部１５ａまたは刻印部１５ｂによって、各種データを簡単に表示できるものとなっている。
【発明の効果】
【００３４】
以上、説明した通り、請求項１に係る発明においては、
「長尺材２１を巻芯２２上に巻いたロール製品２０について、その少なくとも一端部に露出している巻芯２２の端部に取り付けられて、ロール製品２０の少なくとも一端部の保護を行うプロテクタ１０であって、
このプロテクタ１０を複数に区画するとともに、当該プロテクタ１０の厚さと同じ幅の複数の壁リブ１１と、これら各壁リブ１１の外端同士及び内端同士にそれぞれ交互に連続し、当該プロテクタ１０の外面または内面となる外底板１２及び内底板１３と、これら外底板１２及び内底板１３内に突設されて、当該プロテクタ１０の厚さと同じ高さのハニカムリブ１４とを備えたこと」
にその構成上の特徴があり、これにより、必要な剛性が確保でき、材料としての合成樹脂の量を減らすことができて、コスト低減を図ることのできるプロテクタ１０を提供することができるのである。
【００３５】
すなわち、この請求項１のプロテクタ１０は、
（１）平板部分を一方の側に偏らせないで両側に分散させたから、合成樹脂の「ヒケ」を発生しにくくすることができる。
（２）リブの数を減らすことによって、材料を減らすことができる。
（３）一部のリブの形状をハニカムリブ１４に変えることによって、プロテクタに必要な剛性を確保することができる。
と言う優れた効果を有するものである。
【００３６】
また、請求項２に係る発明においては、上記請求項１に記載のプロテクタ１０について、
「外底板１２または内底板１３の何れか少なくとも一方の１つの外面に、ラベル貼付部１５ａまたは刻印部１５ｂの何れか少なくとも一方を形成したこと」
にその構成上の特徴があり、これにより、上記請求項１の効果に加えて、当該プロテクタ１０によって保護している長尺材２０の材料名や行き先、当該プロテクタ１０の所有者名等の各種データが簡単に表示できるプロテクタ１０を提供することができるのである。
【００３７】
つまり、この請求項２のプロテクタ１０は、ラベル貼付部１５ａでの表示変更が簡単に変えられ、しかも、刻印部１５ｂでの表示に基づいて所有者へのリターンが容易に行えるから、繰り返し使用できるものとなっており、
（４）汎用性の高いプロテクタ１０とすることができる。
ものとすることができる。
【図面の簡単な説明】
【００３８】
【図１】本発明に係るプロテクタ１０を使用してロール製品２０の端部の保護を行っている様子を示す斜視図である。
【図２】本発明の第一実施例に係るプロテクタ１０を示すもので、（ａ）は平面図、（ｂ）は裏面図である。
【図３】同プロテクタ１０の断面を示すもので、（ａ）は図２の（ａ）中の１−１線に沿って見た部分拡大断面図、（ｂ）は図２の（ａ）中の２−２線に沿って見た部分拡大断面図である。
【図４】本発明の第二実施例に係るプロテクタ１０を示す平面図である。
【図５】同プロテクタ１０を示す裏面図である。
【図６】特許文献１に示された技術を示す平面図である。
【発明を実施するための形態】
【００３９】
次に、上記のように構成した各請求項に係る発明を、図面に示した実施の形態であるプロテクタ１０について説明するが、図２には、請求項１に該当する第一実施例のプロテクタ１０が、また図４〜図５には、請求項２に該当する第二実施例のプロテクタ１０が示してある。
【００４０】
これらのプロテクタ１０は、図１に示したように、長尺材２１を巻芯２２に巻き取ったロール製品２０の両側部に、巻芯２２の端部を利用して取り付けられるものである。この場合、プロテクタ１０は、ロール製品２０の側面の外形程度の大きさを有した円板状のものを２枚使用しているものであり、図１の（ｂ）に示したように、多数のロール製品２０を床面等上に立てる場合の保護を行っている。
【００４１】
また、このプロテクタ１０は、第一実施例の場合も、第二実施例の場合も、合成樹脂を材料として開閉型を備えた射出成形機により一体成型されるものであり、直径が３０ｃｍ〜６０ｃｍ程度で、厚さが１ｃｍ〜３ｃｍ程度の円板状のものとしたものである。なお、当該プロテクタ１０の直径を変えたい場合には、図５中の点線にて示したような補助型を開閉型に設置することにより、図５中の実線にて示した基本形をそのままとしながら成形できるものである。
【００４２】
（第一実施例）
図２に示した第一実施例に係るプロテクタ１０は、中心に位置する中心穴１６と、この中心穴１６と同心的な複数のリングリブ１７とを形成した平面視円形のものであり、一番内側のリングリブ１７と一番外側のリングリブ１７との間に、放射状に位置する直線状で複数の壁リブ１１を形成したものである。これら複数の壁リブ１１及びリングリブ１７によって、図２に示したように、当該プロテクタ１０は、その表裏両面において複数に区画したものである。
【００４３】
これらの壁リブ１１によって区画された部分では、これら各壁リブ１１の外端同士及び内端同士に、当該プロテクタ１０の外面または内面となる外底板１２及び内底板１３がそれぞれ交互に連続しており、これら外底板１２及び内底板１３内には、当該プロテクタ１０の厚さと同じ高さのハニカムリブ１４が突設されている。
【００４４】
すなわち、これらの壁リブ１１、外底板１２、内底板１３、及びハニカムリブ１４の関係は、図３の（ａ）にて示したようになっている。つまり、図３の（ａ）の図示上側を当該プロテクタ１０の外になる側とすると、図示上側に外底板１２が来て下側に内底板１３が位置し、これらの外底板１２及び内底板１３は壁リブ１１によって連続させてある。そして、各外底板１２の内側、つまり図３の（ａ）で言えば下面に、また各内底板１３の上面には、ハニカムリブ１４がそれぞれ一体化してあるのである。これによって、当該プロテクタ１０を一方からみると、外底板１２及び内底板１３が交互に位置し、これらの外底板１２の下面及び内底板１３の上面に形成した各ハニカムリブ１４も交互に現出することになる。
【００４５】
また、これらの壁リブ１１、外底板１２、内底板１３、及びハニカムリブ１４の厚さについては、図３の（ａ）に示したように、全て同じであり、壁リブ１１及びハニカムリブ１４の幅（高さ）についても全く同じであって、これらの壁リブ１１及びハニカムリブ１４の高さによってプロテクタ１０全体の厚さが決定されている。
【００４６】
なお、この第一実施例に係るプロテクタ１０では、図３の（ｂ）に示したように、表裏交互に開口する穴１８が多数形成してあり、これらの穴１８は、図２に示したように、中心穴１６の周囲に環状に配列されているものである。これらの穴１８は、当該プロテクタ１０をロール製品２０の側面にて巻芯２２の端部に固定するにあたって、図示しないストッパの係止部として利用されることがある。
【００４７】
（第二実施例）
図４及び図５には、本発明の第二実施例に係るプロテクタ１０が示してあるが、このプロテクタ１０については、上記第一実施例のプロテクタ１０における壁リブ１１、外底板１２、内底板１３、及びハニカムリブ１４をそのまま採用しているものであり、これらの壁リブ１１、外底板１２、内底板１３、及びハニカムリブ１４については、その該当符号を図４及び図５中に付して、その説明を省略する。
【００４８】
この第二実施例のプロテクタ１０では、外底板１２または内底板１３の何れか少なくとも一方の１つの外面に、ラベル貼付部１５ａまたは刻印部１５ｂの何れか少なくとも一方を形成したものである。外底板１２または内底板１３の何れか少なくとも一方の１つ、とは、ラベル貼付部１５ａと刻印部１５ｂとが別の面に形成されていてもよく、その場合複数であってもよいことを言う。また、ラベル貼付部１５ａまたは刻印部１５ｂの何れか少なくとも一方、とは、ラベル貼付部１５ａ又は刻印部１５ｂの一方しか形成しない場合も含むようにしたものである。
【００４９】
ラベル貼付部１５ａは、その表面に種々なデータが表示されたラベルが文字通り貼付されるものであり、ラベルには、例えば、当該プロテクタ１０によって保護している長尺材２０の材料名や行き先等が表示される。勿論、このラベル貼付部１５ａに対しては、ラベルの貼り変えが何度でも行える。
【００５０】
一方、刻印部１５ｂには、当該プロテクタ１０の製造時において、例えば、当該プロテクタ１０の所有者名等の各種データが、文字通り刻印されるのである。近年、この種のプロテクタ１０は、使い捨てされるものではなくて、繰り返し使用されるものになってきているが、この刻印部１５ｂでの表示によって、当該プロテクタ１０は容易に所有者にリターンできることになる。
【符号の説明】
【００５１】
１０    プロテクタ
１１    壁リブ
１２    外底板
１３    内底板
１４    ハニカムリブ
１５ａ  ラベル貼付部
１５ｂ  刻印部
１６    中心穴
１７    リングリブ
１８    穴
２０    ロール製品
２１    長尺材
２２    巻芯
【図１】
2015074481.tif 000003
【図２】
2015074481.tif 000004
【図３】
2015074481.tif 000005
【図４】
2015074481.tif 000006
【図５】
2015074481.tif 000007
【図６】
2015074481.tif 000008